(57)【要約】【課題】最初に機能液が吐出された画素における液量は、最後に吐出した画素に残っている液量に比べて、自然乾燥時間に応じた量分少ない量になっている。このため、固化して形成される発光層の膜厚が異なり、各々の画素間で発光輝度にムラが生じる。【解決手段】ステップＳ１０７にて、最初の画素への機能液の吐出開始からの経過時間を計測する。ステップＳ１０８にて、経過時間に対する溶媒液の増加量を算出する。ステップＳ１０９にて、第２ヘッドから溶媒液の増加量を吐出する。こうすれば、経過時間に応じて画素に吐出される溶媒液の吐出量を漸次少なく変更することができる。従って、総ての画素に対して吐出が終了したときに、自然乾燥によって液量が減少した状態において、各々の画素に存在する機能液と溶媒液の合計液量をほぼ均一にできる。この結果、その後真空乾燥処理によって形成される発光層の膜厚がほぼ均一になり輝度のバラツキが抑制される。【選択図】図７
2009247933.tif 000002
【特許請求の範囲】
【請求項１】
基板に形成された複数の被吐出領域に対して、所定の順序で液状体を吐出する液状体吐出方法であって、
前記複数の被吐出領域のうち、最初の前記被吐出領域に前記液状体の吐出を開始してからの経過時間を計測する計測工程と、
前記複数の被吐出領域の各々に対して吐出する前記液状体の吐出量を、前記計測された経過時間に応じて少なく変更する変更工程と、
前記変更された吐出量で、前記複数の被吐出領域の各々に前記液状体を吐出する吐出工程と、
を有することを特徴とする液状体吐出方法。
【請求項２】
請求項１に記載の液状体吐出方法であって、
前記複数の被吐出領域の各々について、前記基板に対する形成位置を取得する取得工程を有し、
前記変更工程は、前記経過時間に応じて少なく変更した前記液状体の吐出量を、前記取得された形成位置に応じてさらに変更することを特徴とする液状体吐出方法。
【請求項３】
基板に形成された複数の被吐出領域に対して、液状体を吐出する液状体吐出方法であって、
前記複数の被吐出領域の各々について、前記基板に対する形成位置を取得する取得工程と、
前記取得された形成位置に応じて、前記複数の被吐出領域の各々に対して吐出する前記液状体の吐出量を変更する変更工程と、
前記変更された吐出量の液状体を前記被吐出領域の各々に吐出する吐出工程と、
を有することを特徴とする液状体吐出方法。
【請求項４】
請求項２または３に記載の液状体吐出方法であって、
前記変更工程において、前記複数の被吐出領域の各々の前記形成位置における前記液状体の乾燥速度を定めた分布プロファイルを用いて、取得された前記被吐出領域の形成位置に応じた前記液状体の吐出量に変更することを特徴とする液状体吐出方法。
【請求項５】
請求項１ないし４のいずれか一項に記載の液状体吐出方法であって、
前記吐出工程は、第１のヘッドから溶質と溶媒との混合液を吐出する工程と、第２のヘッドから溶媒のみの溶媒液を吐出する工程とを含み、
前記変更された吐出量に応じて、前記混合液および前記溶媒液を各ヘッドから吐出することを特徴とする液状体吐出方法。
【請求項６】
請求項１ないし５のいずれか一項に記載の液状体吐出方法であって、
前記混合液中の溶媒と前記溶媒液の溶媒とは、組成が異なることを特徴とする液状体吐出方法。
【請求項７】
請求項５または６に記載の液状体吐出方法であって、
前記変更された液状体の吐出量分、前記溶媒液の吐出量を変更して吐出することを特徴とする液状体吐出方法。
【請求項８】
発光層を含む複数の有機層を陽極および陰極で挟持した構造を有する有機ＥＬパネルの製造方法であって、
請求項１ないし７のいずれか一項に記載の液状体吐出方法を用いて、前記複数の有機層のうち少なくとも１層を形成することを特徴とする有機ＥＬパネルの製造方法。
【請求項９】
ガラス基板に、複数色の光フィルタ層領域が形成されたカラーフィルタの製造方法であって、
請求項１ないし７のいずれか一項に記載の液状体吐出方法を用い、少なくとも１つの色の光フィルタ層を形成することを特徴とするカラーフィルタの製造方法。
【請求項１０】
請求項８に記載の有機ＥＬパネルの製造方法によって製造された有機ＥＬパネルと、当該有機ＥＬパネルを発光駆動する駆動手段とを備えた表示装置。
【請求項１１】
白色光を、カラーフィルタによってカラー光に変換する表示装置であって、
前記カラーフィルタは、請求項９に記載のカラーフィルタの製造方法によって製造されたカラーフィルタであることを特徴とする表示装置。
【請求項１２】
請求項１０または１１に記載の表示装置を備えた電子機器。
【発明の詳細な説明】
【技術分野】
【０００１】
本発明は、液状体吐出方法、この液状体吐出方法を用いた有機ＥＬパネルの製造方法およびカラーフィルタの製造方法、それぞれの製造方法で製造された有機ＥＬパネルおよびカラーフィルタを備えた表示装置、およびこれらの表示装置をそれぞれ備えた電子機器に関する。
【背景技術】
【０００２】
近年、薄型の自発光素子であるエレクトロルミネッセンス素子（ＥＬ素子）を表示素子として用いた表示装置が多く使われるようになってきた。ＥＬ素子は、発光材料によって形成された発光層に電流を流すことによって、所望する明るさの発光光を射出するものである。発光層の形成は、例えば、基板上にバンクによって区画形成された複数の被吐出領域（画素）の各々に対して、発光材料を含む液状体を、液状体を吐出するノズルが穿設されたヘッドから所定量吐出し、その後真空乾燥や加熱乾燥などの乾燥処理により液状体に含まれる溶媒成分を蒸発して固化することによって行われる。
【０００３】
ところで、周知のように、発光光の輝度は形成された発光層の厚さに依存する。このため、形成される発光層の厚さムラがそのまま輝度ムラになってしまう。従って、発光層の厚さが均一になるように形成することが重要である。
【０００４】
しかしながら、液状体に含まれる溶媒成分は、乾燥処理が行われる以前においても自然乾燥によって蒸発する。このため、それぞれの被吐出領域に吐出された液状体が残留している液量は、その被吐出領域に液状体が吐出されてから乾燥処理が行われるまでの時間長に応じて減少することになる。例えば、最後の被吐出領域に液状体を吐出したとき、最初に液状体が吐出された被吐出領域における液状体の残量は、最後に液状体を吐出した被吐出領域に残っている液状体の量に比べて、自然乾燥時間に応じた量分少ない量になっている。従って、この状態で乾燥処理を行うと、各々の被吐出領域における液状体の液量が違うために乾燥条件が異なってしまい、この結果、固化して形成される発光層の膜厚が異なって、各々の被吐出領域間で発光輝度にムラが生じてしまう。このため、表示素子に画素単位で輝度ムラが発生し、表示品質が悪くなってしまうことになる。
【０００５】
また、液状体に含まれる溶媒の蒸発量は、基板の端部に近いほど多くなることから、液状体の乾燥処理において、一般的に基板の周辺部分における液状体の乾燥速度が、基板の中央部分における液状体の乾燥速度よりも速くなることがある。このため、液状体が固化して形成された発光層の厚さが、被吐出領域において、基板の周辺に近い部分と基板の中央に近い部分とで異なる場合が生ずる。すると、上述したように、被吐出領域における発光光に輝度ムラが発生してしまうのである。
【０００６】
そこで、例えば特許文献１には、基板上に形成された液状膜（液状体）の各部位に対する加熱温度を異ならせることで、形成する薄膜の厚さを均一化する乾燥装置が提案されている。あるいは、特許文献２には、基板に対向配置された乾燥手段を具備し、基板と乾燥手段との間の距離を変更することで、形成する薄膜の厚さを均一化する乾燥装置が提案されている。
【０００７】
【特許文献１】特開２００４−３３０１３６号公報
【特許文献２】特開２００５−２７５２７５号公報
【発明の開示】
【発明が解決しようとする課題】
【０００８】
しかしながら、特許文献１および特許文献２に提案された乾燥装置では、基板の大きさや、基板に形成された被吐出領域の形状や数に応じて、加熱温度や乾燥手段を調節して乾燥処理条件を変更する必要がある。このため、乾燥処理条件の調節作業など作業負荷が重くなったり、乾燥装置そのものが複雑になったりする不具合が生じてしまうという課題がある。
【課題を解決するための手段】
【０００９】
本発明は、上述の課題の少なくとも一部を解決するためになされたものであり、以下の形態または適用例として実現することが可能である。
【００１０】
［適用例１］基板に形成された複数の被吐出領域に対して、所定の順序で液状体を吐出する液状体吐出方法であって、前記複数の被吐出領域のうち、最初の前記被吐出領域に前記液状体の吐出を開始してからの経過時間を計測する計測工程と、前記複数の被吐出領域の各々に対して吐出する前記液状体の吐出量を、前記計測された経過時間に応じて少なく変更する変更工程と、前記変更された吐出量で、前記複数の被吐出領域の各々に前記液状体を吐出する吐出工程と、を有することを特徴とする。
【００１１】
この方法によれば、経過時間に応じて被吐出領域に吐出される液状体の吐出量を少なく変更する。従って、総ての被吐出領域に対して吐出が終了したときに、自然乾燥によって液状体の量が減少した状態において、各々の被吐出領域に存在する液状体の残量をほぼ均一にすることができる。この結果、乾燥処理条件を変更するという面倒な作業を行うことなく、その後の乾燥処理によって形成される機能膜の膜厚がほぼ均一になり、機能膜の性能バラツキが抑制されることになる。
【００１２】
［適用例２］上記液状体吐出方法であって、前記複数の被吐出領域の各々について、前記基板に対する形成位置を取得する取得工程を有し、前記変更工程は、前記経過時間に応じて少なく変更した前記液状体の吐出量を、前記取得された形成位置に応じてさらに変更することを特徴とする。
【００１３】
この方法によれば、基板上における被吐出領域の形成位置に応じて、さらに吐出量を補正変更することができる。この結果、総ての被吐出領域に対して吐出が終了したときに各被吐出領域に存在する液状体の量によって、自然乾燥状態の違いに加えて、機能膜の基板上の形成位置に応じた乾燥処理条件の違いによる機能膜の性能バラツキが抑制されることになる。
【００１４】
［適用例３］基板に形成された複数の被吐出領域に対して、液状体を吐出する液状体吐出方法であって、前記複数の被吐出領域の各々について、前記基板に対する形成位置を取得する取得工程と、前記取得された形成位置に応じて、前記複数の被吐出領域の各々に対して吐出する前記液状体の吐出量を変更する変更工程と、前記変更された吐出量の液状体を前記被吐出領域の各々に吐出する吐出工程と、を有することを特徴とする。
【００１５】
この方法によれば、被吐出領域に吐出する液状体の吐出量を、基板における被吐出領域の形成位置に応じて変更することができる。この結果、乾燥処理条件を変更するという面倒な作業を行うことなく、その後の乾燥処理によって形成される機能膜の膜厚がほぼ均一になり、機能膜の性能バラツキが抑制されることになる。
【００１６】
［適用例４］上記液状体吐出方法であって、前記変更工程において、前記複数の被吐出領域の各々の前記形成位置における前記液状体の乾燥速度を定めた分布プロファイルを用いて、取得された前記被吐出領域の形成位置に応じた前記液状体の吐出量に変更することを特徴とする。
【００１７】
この方法によれば、乾燥速度の分布に応じて液状体の吐出量を調整することができる。この結果、基板上の被吐出領域の位置によって乾燥状態に違いが存在しても、その乾燥状態の違いに応じて吐出する液状体の液量を変えるので、被吐出領域に存在する液状体によって形成される機能膜厚のバラツキが抑制されることになる。
【００１８】
［適用例５］上記液状体吐出方法であって、前記吐出工程は、第１のヘッドから溶質と溶媒との混合液を吐出する工程と、第２のヘッドから溶媒のみの溶媒液を吐出する工程とを含み、前記変更された吐出量に応じて、前記混合液および前記溶媒液を各ヘッドから吐出することを特徴とする。
【００１９】
この方法によれば、各被吐出領域に吐出された液状体において溶質と溶媒の吐出量割合を変更して吐出量を変更することができる。特に溶媒割合を多くしたい場合は、第２ヘッドを用いて簡単に行うことができる。
【００２０】
［適用例６］上記液状体吐出方法であって、前記混合液中の溶媒と前記溶媒液の溶媒とは、組成が異なることを特徴とする。
【００２１】
この方法によれば、例えば、乾燥速度の異なる溶媒を用いることができるので、溶媒液の溶媒を乾燥速度が遅い溶媒とすることによって、少ない溶媒液の吐出量で乾燥速度を調節することができる。
【００２２】
［適用例７］上記液状体吐出方法であって、前記変更された液状体の吐出量分、前記溶媒液の吐出量を変更して吐出することを特徴とする。
【００２３】
この方法によれば、乾燥条件の違いによって生ずる膜厚差に応じて溶媒量を予め補正することができる。
【００２４】
［適用例８］発光層を含む複数の有機層を陽極および陰極で挟持した構造を有する有機ＥＬパネルの製造方法であって、上記液状体吐出方法を用いて、前記複数の有機層のうち少なくとも１層を形成することを特徴とする。
【００２５】
この製造方法によれば、例えば、乾燥処理後に液状体によって形成される発光層の膜厚がほぼ均一になり、有機ＥＬパネルの輝度ムラが抑制される。
【００２６】
［適用例９］ガラス基板に、複数色の光フィルタ層領域が形成されたカラーフィルタの製造方法であって、上記液状体吐出方法を用い、少なくとも１つの色の光フィルタ層を形成することを特徴とする。
【００２７】
この製造方法によれば、乾燥処理後に液状体によって形成されるカラーフィルタ層の膜厚がほぼ均一になり、カラーフィルタを透過する透過光の輝度ムラが抑制される。
【００２８】
［適用例１０］上記有機ＥＬパネルの製造方法によって製造された有機ＥＬパネルと、当該有機ＥＬパネルを発光駆動する駆動手段とを備えた表示装置。
【００２９】
この表示装置によれば、輝度ムラが抑制された有機ＥＬパネルを備えた表示装置を得ることができる。
【００３０】
［適用例１１］白色光を、カラーフィルタによってカラー光に変換する表示装置であって、前記カラーフィルタは、上記カラーフィルタの製造方法によって製造されたカラーフィルタであることを特徴とする。
【００３１】
この表示装置によれば、透過光の輝度ムラが抑制されたカラーフィルタを備えた表示装置を得ることができる。
【００３２】
［適用例１２］上記表示装置を備えた電子機器。
【００３３】
上記表示装置によれば、輝度ムラが抑制された表示装置を得ることができるので、この表示装置を備えることによって、表示品質のよい画像を表示できる電子機器を提供することができる。
【発明を実施するための最良の形態】
【００３４】
以下、本発明を実施形態に基づいて説明する。図１は、基板Ｐにバンクによって区画形成された被吐出領域に対して、本発明の液状体吐出方法を用いて、赤（Ｒ）、緑（Ｇ）、青（Ｂ）各色についての所定の機能材料を含む液状体を吐出する液状体吐出装置の一実施形態を示す構成図である。
【００３５】
図１に示すように、液状体吐出装置１００は、直線的に設けられた一対のガイドレール１０１と、ガイドレール１０１の内部に設けられたエアスライダとリニアモータ（図示せず）により１つの直線軸方向（これを本実施形態ではＹ軸方向とする）に移動する移動台１０３を備えている。移動台１０３上には、基板Ｐを載置するためのステージ１０５が設けられている。ステージ１０５は基板Ｐを吸着固定できる構成となっている。
【００３６】
ステージ１０５に対して移動台１０３と反対側（これを本実施形態では上方向、その逆を下方向とも呼ぶ）には、所定の距離をおいて、Ｙ軸方向と異なる１つの直線軸方向（これを本実施形態ではＸ軸方向とする）を呈するように一対のガイドレール１０２が設けられている。
【００３７】
液状体吐出装置１００は、この一対のガイドレール１０２に沿って移動するキャリッジ２００が備えられている。すなわち、キャリッジ２００は、その両側にキャリッジ２００と一体若しくは別体でキャリッジ移動台１１２が設けられ、ガイドレール１０２の内部に設けられたエアスライダとリニアモータ（いずれも図示せず）により、Ｘ軸方向に沿って移動可能に構成されている。
【００３８】
キャリッジ２００には、その下方向側に所定の配列方向を呈するように穿設された複数のノズルと、ノズル毎に液状体を吐出する吐出機構とが形成されたノズルヘッド２０およびノズルヘッド３０が備えられている。そして、図示しない液状体供給装置からキャリッジ２００に供給された液状体は、図示しない流路を経由してノズルヘッド２０およびノズルヘッド３０にそれぞれ供給され、ノズル毎に形成された吐出機構（後述する）によって各ノズルから液滴として吐出する。
【００３９】
また、液状体吐出装置１００はコントロール装置１０を備えている。このコントロール装置１０は、コンピュータ機能を有し、入力される吐出制御データに基づいて、移動台１０３のＹ軸方向の移動制御と、キャリッジ２００に設けられたキャリッジ移動台１１２のＸ軸方向の移動制御と、ノズルヘッド２０およびノズルヘッド３０に形成された吐出機構の駆動制御つまり液状体の吐出制御とを行う。本実施形態では、吐出制御データは、基板Ｐにバンクによって区画形成された複数の被吐出領域の各々について、基板Ｐに対する位置を示す位置データを含むデータであるものとする。
【００４０】
次に、ノズルヘッド２０，３０に形成されたノズルについて、図２を用いて説明する。図２は、ノズルヘッド２０，３０に穿設されたノズルの配列具合を示す模式図であり、図１においてキャリッジ２００の下方向（図中白抜き矢印）から見た状態を示したものである。なお、ここでは図面左右方向をＸ軸方向として図示している。
【００４１】
本実施形態では、図示するように、ノズルヘッド２０はＲ、Ｇ、Ｂに対応した液状体としての機能液（後述する）を吐出するノズルブロック２０Ｒ，２０Ｇ，２０Ｂを備えている。各ノズルブロック２０Ｒ，２０Ｇ，２０Ｂには、それぞれ所定のピッチで数十個〜数百個のノズルが穿設されている。そして、各ノズルブロック２０Ｒ，２０Ｇ，２０Ｂに穿設された複数のノズルはほぼ一直線に配列され、その配列方向はＸ軸方向と一致している。
【００４２】
同様に、ノズルヘッド３０はＲ、Ｇ、Ｂに対応した液状体としての溶媒液（後述する）を吐出するノズルブロック３０Ｒ，３０Ｇ，３０Ｂを備えている。各ノズルブロック３０Ｒ，３０Ｇ，３０Ｂには、ノズルヘッド２０と同様、それぞれ所定のピッチで数十個〜数百個のノズルが穿設されている。そして、各ノズルブロック３０Ｒ，３０Ｇ，３０Ｂに穿設された複数のノズルはほぼ一直線に配列され、その配列方向はノズルヘッド２０と同様Ｘ軸方向と一致している。
【００４３】
なお、各ノズルブロック２０Ｒ，２０Ｇ，２０Ｂおよびノズルブロック３０Ｒ，３０Ｇ，３０Ｂに穿設されたノズルは、２列など複数のノズル列数を有する場合もあり、例えば２列の場合は、ノズルの穿設位置がノズル列間で互いに半ピッチずれた千鳥配列をなす関係となる場合もある。また、ノズルヘッド２０，３０もそれぞれ複数個備えられていることもある。さらにキャリッジ２００を複数備えることもある。このように、被吐出領域の形成数や形成範囲、あるいは基板Ｐの大きさに応じて、必要な数のノズルヘッドやキャリッジが備えられるのである。
【００４４】
穿設された各ノズルには、ノズルヘッド２０，３０において、前述したようにノズル毎に吐出機構がそれぞれ形成され、ノズルヘッド２０，３０内の各液状体に圧力を発生させて、所定量の液状体をノズルから吐出するように構成されている。もとより、吐出機構は、総てのノズルについて同様な構造を有している。
【００４５】
吐出機構は、本実施形態では図２の吹出し部に示した構造を有し、圧電素子２を駆動体（アクチュエータ）とするものである。すなわち、圧電素子２は、その両端の電極ＣＯＭとＧＮＤとの間に電圧波形が印加されると、電歪性によって収縮あるいは伸長変形し、振動板３を矢印方向に撓ませて液状体流路途中に形成された加圧室４に存在する液状体を加圧する。この結果、加圧された液状体は、ノズルヘッド２０の底面部材８に穿設されたノズルから、液滴９として吐出されるのである。なお、吐出機構は、例えば、駆動体として加熱素子を用いた所謂サーマル方式などであってもよい。
【００４６】
次に、この液状体吐出装置１００を用いて形成する表示装置について説明する。図３は、本実施形態の液状体吐出装置１００を用いて形成した表示装置の一例となる有機ＥＬパネル５０を搭載した電子機器としての携帯電話１を示す説明図である。
【００４７】
有機ＥＬパネル５０は、エレクトロルミネッセンス素子としての有機ＥＬ素子を表示素子とするものであり、バックライトが不要で薄型化が可能であることから、画像や文字を表示する薄型の電子機器には好適な表示装置である。従って、本実施形態の如く、携帯電話に搭載する表示装置として有効である。
【００４８】
有機ＥＬパネル５０は、Ｒ、Ｇ、Ｂのうちいずれか１色を発光可能な画素がそれぞれ複数形成され、画像や文字などの所定のカラー画像を表示するように構成されている。なお、ここでは、以降の説明を簡単にするために、図３に示すように、有機ＥＬパネル５０は、Ｙ軸方向（図面縦方向）に４画素、Ｘ軸方向（図面横方向）に６画素の計２４個の画素が形成されているものとする。もとより、実際には、Ｘ軸、Ｙ軸それぞれの方向に数百画素といった多くの画素が形成されていることは言うまでもない。
【００４９】
図４は、有機ＥＬパネル５０の全体のレイアウトを回路構成とともに示した模式図である。有機ＥＬパネル５０は、図示するように画素ごとに表示駆動されるアクティブマトリックス型の装置である。各画素はバンクによって長円形状に区画された領域を有し、基板Ｐの略中央部分にＸ軸方向およびＹ軸方向に規則正しく配列されて形成されている。もとより、各画素は長円形状以外の領域形状に区画されていてもよいことは勿論である。なお、各画素は請求項記載の被吐出領域に相当する。
【００５０】
各画素には、有機ＥＬ素子が表示素子として、また、有機ＥＬ素子を表示（つまり発光）駆動するためのＴＦＴ（薄膜トランジスタ）５４，５５と保持容量５６とが駆動素子として、それぞれ形成されている。なお、ここでは有機ＥＬ素子はトップエミッション構造を有しているものとする。従って、駆動素子は表示素子と平面的に重なる位置であって、基板Ｐと表示素子との間に形成されている。もとより、有機ＥＬ素子は、トップエミッション構造でなくボトムエミッション構造であっても差し支えない。
【００５１】
基板Ｐの外周部分には、走査駆動回路５１とデータ駆動回路５２、および給電端子５３とが形成されている。走査駆動回路５１からは走査線Ｇａｔｅが、データ駆動回路５２からはデータ線Ｓｉｇが、また、給電端子５３からはこれに接続された電源供給線Ｃｏｍが、それぞれ各画素に形成された駆動素子に対して図４に示したように配線され、表示素子を発光駆動する。
【００５２】
まず、走査線Ｇａｔｅは、ＴＦＴ５４のゲートに接続され、走査線Ｇａｔｅを介して供給される電流信号に応じて、ＴＦＴ５４をオン／オフ制御する。そしてＴＦＴ５４がオンすると、ＴＦＴ５４のソースに接続されたデータ線Ｓｉｇから供給される画像信号に応じて、電源供給線Ｃｏｍから供給される電源によって保持容量５６に所定の電圧が保持される。すると、保持容量５６に保持された電圧は、ＴＦＴ５５のゲートに印加され、ＴＦＴ５５をオン状態にする。ＴＦＴ５５のソースおよびドレインはそれぞれ電源供給線Ｃｏｍと陽極に接続され、保持容量５６に保持された電圧に応じた、つまり画像信号に応じた電流が、電源供給線Ｃｏｍを介して陽極に印加される。
【００５３】
各画素に形成される表示素子は、陽極と陰極との間に電流を流すことによって発光する。つまり、陽極に印加された電流が、総ての画素の表面に渡って形成された陰極に流れることによって、画像信号に応じた明るさで発光するのである。有機ＥＬパネル５０は、こうして画像を表示する。従って、陽極と陰極との間に挟持された発光層の膜厚が均一でないと、輝度ムラになってしまうのである。
【００５４】
次に、有機ＥＬパネル５０における具体的な画素構成について図５を用いて説明する。図５は、有機ＥＬパネル５０におけるＲ画素、Ｇ画素、Ｂ画素の各画素が有する機能層の構成を示す模式図である。図５（ａ）は、図４に示した各画素のうち、Ｘ軸方向（図面横方向）にＲ画素、Ｇ画素、Ｂ画素が並んだ表示部分を示した平面図であり、図５（ｂ）は、図５（ａ）におけるＡ−Ａ断面を示した模式断面図で、有機ＥＬ素子の形成が終了した状態を示している。また、図５（ｃ）は、有機ＥＬ素子の機能層を液状体の吐出によって塗布して形成する様子を示した模式図である。なお、各寸法は、説明の都合上必要に応じて誇張しているため、実際の寸法とは必ずしも一致していないことは言うまでもない。
【００５５】
各画素は、図５（ａ）に示したように、エッチングなどによって形成された絶縁有機材料（例えばアクリル樹脂やポリイミド樹脂）からなるバンク（図中ハッチング部分）によって区画された画素領域を有し、それぞれ長円形状を呈している。そして各画素の画素領域には、Ｒ、Ｇ、Ｂのうちいずれか１色を発光可能な表示素子が形成されている。
【００５６】
また、有機ＥＬ素子は、図５（ｂ）に示したように、陽極と陰極との間に、正孔注入層と発光層（Ｒ発光層、Ｇ発光層、Ｂ発光層のいずれか）とが形成されたものである。従って、形成される発光層が異なることによって、それぞれ発光色の異なるＲ画素、Ｇ画素、Ｂ画素となる。
【００５７】
本実施形態では、正孔注入層は、ポリエチレンジオキシチオフェン／ポリスチレンスルフォン酸（ＰＥＤＯＴ／ＰＳＳ）を溶質とし、エチレングリコールを溶媒とした機能液を、液状体として画素領域に吐出後、真空乾燥などによって乾燥処理を行い、溶媒を除去して所定の厚さのＰＥＤＯＴ／ＰＳＳ膜を形成したものである。また、各発光層は、Ｒ、Ｇ、Ｂのいずれかの色を示す蛍光材料（例えば、ポリ（９，９−ジオクチルフルオレン））を溶質とし、１，３，５−トリメチルベンゼンを溶媒とした機能液、すなわちＲ機能液、Ｇ機能液、Ｂ機能液を、それぞれ液状体として各画素領域に噴射し、以降真空乾燥などによる乾燥処理を行って、それぞれ所定の厚さの蛍光材料膜を形成したものである。
【００５８】
バンクと陽極との間には、長円形状の画素領域の外周に沿って所定幅が画素領域内に露出するように、無機絶縁膜が形成されている。これは、正孔注入層や各発光層を形成する機能液との親液性を高め、正孔注入層や各発光層がバンク近傍まで形成されることによって、陽極と陰極との短絡を防止するようにするためである。もとより、正孔注入層や各発光層がバンク近傍まで形成できる場合は、無機絶縁膜は形成する必要はない。
【００５９】
また、本実施形態の表示素子は、トップエミッション方式の有機ＥＬ素子であることから、発光光が陰極側から射出するように、陽極の基板Ｐと対向する面側には、反射層が形成されている。もとより、陽極が反射層を兼ねる場合は、反射層を形成する必要はない。
【００６０】
また、前述した表示素子を発光駆動するための駆動素子は、表示素子と平面的に重なる位置であって、基板Ｐと表示素子との間に形成されている。本実施形態では、駆動素子であるＴＦＴ５４，５５や保持容量５６は、図５（ｂ）に示したように基板Ｐとの間に位置し、表面全体が平坦化されたデバイス層の内部に形成されている。
【００６１】
さて、本実施形態では正孔注入層と各発光層について、それぞれ対応する画素領域に機能液を吐出して塗布することによって形成する。具体的には、図５（ｃ）に示したように、ノズルヘッド２０に設けられたノズルブロック２０Ｒ，２０Ｇ，２０Ｂのノズルから、Ｒ、Ｇ、Ｂの各画素に対応するそれぞれの画素領域に機能液を吐出することによって、Ｒ、Ｇ、Ｂの各機能液を塗布する。その後、前述したように乾燥処理を行うことによって各画素領域についての正孔注入層と発光層を形成するのである。
【００６２】
こうして、基板Ｐ上に、Ｒ、Ｇ、Ｂの各画素に対応した有機ＥＬ素子が表示素子として形成され、さらに陰極が形成されて有機ＥＬパネルが出来上がる。なお、本実施形態では、前述したように正孔注入層を形成する機能液の材料は、Ｒ、Ｇ、Ｂ各画素について同じである。
【００６３】
さて、このように形成されたＲ、Ｇ、Ｂの各画素を有する表示装置について、各画素の発光輝度は、形成される発光層の厚さ、あるいは、発光層を流れる電流の大きさに依存する。従って、陽極と陰極との間に挟持される発光層の厚さを、基板Ｐに形成された総ての画素間で均一にすることが重要である。均一化することによって発光層が呈する電気抵抗は、画素間で均一になり、この結果、発光層を流れる電流も画素間において均一になるからである。
【００６４】
また、発光層に流れる電流に差異が生じないようにするためには、発光層以外の正孔注入層についても同様である。正孔注入層の厚さを、基板Ｐに形成された総ての画素間で均一にすることによって、また、１つの画素領域において、正孔注入層の厚さを均一にすることによって、発光層に流れる電流を、各画素間および１つの画素領域内で均一にすることができるからである。
【００６５】
しかしながら、前述したように、機能液に含まれる溶媒（エチレングリコール、あるいは１，３，５−トリメチルベンゼン）は、乾燥処理前の段階で既に自然乾燥による蒸発が生じている。従って、それぞれの画素（被吐出領域）において吐出された機能液が残留している液量には、最初の画素に機能液が吐出されてからの時間に応じた差異が画素毎に生じている状態になる。かかる状態で乾燥処理を行うと、残留している機能液の液量が異なることから各々の画素の乾燥条件が異なることになる。このために、例えば、固化して形成される発光層の膜厚が異なり、各々の画素間で発光輝度にムラが生じる。
【００６６】
同じく、前述したように、機能液の乾燥処理において、基板の周辺における機能液の乾燥速度が基板の中央における機能液の乾燥速度よりも速くなるために、例えば機能液が固化して形成された発光層の厚さが、基板の周辺に近い画素と基板の中央に近い画素とで異なる場合が生ずる。この結果、上述したように、総ての画素の発光光の輝度が均一にならず、輝度ムラが発生してしまうのである。
【００６７】
そこで、本実施形態の液状体吐出装置１００では、自然乾燥による溶媒の減少、あるいは乾燥処理における基板上での乾燥速度の違いによる膜厚への影響を抑制する吐出方法を用いて機能液を吐出する。この吐出方法について、自然乾燥による溶媒の減少に伴う発光層の膜厚への影響を抑制する吐出方法を第１実施例により、乾燥処理における基板上での乾燥速度の違いに伴う発光層の膜厚への影響を抑制する吐出方法を第２実施例により、以下説明する。なお、第１実施例および第２実施例では、機能層として発光層を形成するものとして説明する。もとより、以下説明する２つの実施例は、正孔注入層についても同様に適用可能である。
【００６８】
（第１実施例）
まず、第１実施例の概要を、図６を用いて説明する。図６は、基板Ｐに形成されたＹ軸方向（図面縦方向）に４画素、Ｘ軸方向（図面横方向）に６画素の計２４個の画素に、Ｒ、Ｇ、Ｂの各色発光層を形成する発光材料と溶媒とを含むＲ、Ｇ、Ｂ各機能液を吐出する様子を示す模式図である。
【００６９】
図示するように、本実施例では、Ｙ軸方向に基板Ｐが移動することによって、図面上から下方向を主走査方向として相対移動するノズルヘッド２０に設けられたノズルから、Ｒ画素、Ｇ画素、Ｂ画素に対応する画素に、それぞれＲ機能液、Ｇ機能液、Ｂ機能液を吐出する。さらに、基板Ｐに対してノズルヘッド２０と一緒に相対移動するノズルヘッド３０に設けられたノズルから、Ｒ画素、Ｇ画素、Ｂ画素に対応する画素に、それぞれＲ溶媒液、Ｇ溶媒液、Ｂ溶媒液を吐出する。また、各溶媒液は、各機能液に含まれる溶媒と同じ溶媒の溶液である。
【００７０】
本実施例では、一回の主走査によってＸ軸方向に連続する３つの画素に対して機能液あるいは溶媒液を、ノズルヘッド２０，３０を所謂スキャン走査することによって吐出するものとする。すなわち、基板Ｐに形成された総ての画素に対して、まず一回目の主走査によって図中破線で示した主走査領域に含まれる画素に機能液あるいは溶媒液が吐出される。その後、基板Ｐの図面下から上方向へのＹ軸方向の移動とキャリッジ２００のＸ軸方向の移動とによって副走査されたノズルヘッド２０，３０（図中、二点鎖線）によって２回目の主走査が行われて総ての画素に機能液あるいは溶媒液が吐出される。なお、機能液および溶媒液の吐出をスキャン走査以外の走査方法によって行われるものとしても差し支えない。
【００７１】
ここで、本実施例では、説明を簡略化するため、各ノズルブロック２０Ｒ，２０Ｇ，２０Ｂ、および各ノズルブロック３０Ｒ，３０Ｇ，３０Ｂに形成されたノズルは１個であるものとした。もとより、前述するように、通常多数のノズルが形成され、通常基板Ｐに区画形成された多数の画素に対して、それぞれ対応するノズルから機能液や溶媒液を吐出することは言うまでもない。
【００７２】
さて、このように主走査および副走査を行って総ての画素に機能液あるいは溶媒液の吐出を行うと、Ｒ機能液およびＲ溶媒液については画素Ｒ１から画素Ｒ８の順序で、Ｇ機能液およびＧ溶媒液については画素Ｇ１から画素Ｇ８の順序で、Ｂ機能液およびＢ溶媒液については画素Ｂ１から画素Ｂ８の順序で、それぞれ機能液あるいは溶媒液が吐出される。この結果、例えば、総てのＲ画素に関して、最後の画素Ｒ８に機能液が吐出されるまでの時間に、各画素に吐出された機能液が自然乾燥によって減少する液量は、最初に機能液が吐出された画素Ｒ１が最も多く、次に画素Ｒ２、次に画素Ｒ３、・・・というようにＲ機能液が吐出された順番に従って減少していることになる。
【００７３】
そこで、本実施例では、例えば、Ｒ画素であれば、減少するＲ機能液の液量分に相当するＲ溶媒液を、前もって各画素に吐出しておき、各々のＲ画素に対してＲ機能液あるいはＲ溶媒液の吐出が終了したとき、総ての画素Ｒ１〜画素Ｒ８に残留している液量が同じになるようにするのである。なお、余分に前もって吐出するＲ溶媒液は、Ｒ機能液に含まれる溶媒と同じ組成の溶媒の溶液であることから、乾燥処理によって形成されるＲ発光層中に残存する溶媒の組成成分は総ての画素Ｒ１〜画素Ｒ８について同じになる。この結果、Ｒ発光層の特性は画素Ｒ１〜画素Ｒ８間において異なることがない。もとより、総てのＧ画素である画素Ｇ１〜画素Ｇ８、総てのＢ画素である画素Ｂ１〜画素Ｂ８についても同様である。
【００７４】
それでは、本実施例の液状体吐出方法について、図７の処理フローチャートに従って説明する。図７に示した処理は、図１においてコントロール装置１０内に設けられた図示しないメモリに格納された処理プログラムに従って、コントロール装置１０が上述した各種制御動作を行うことによって実行されるものである。
【００７５】
この処理が開始されると、まずステップＳ１０１にて、吐出制御データから位置データの読み込み処理を行う。位置データは、基板Ｐにバンクによって区画形成された機能液の被吐出領域、すなわち基板Ｐにおける画素領域を示すデータである。具体的には、コントロール装置１０は、基板Ｐに区画形成された各画素領域の座標を読み込む。
【００７６】
次に、ステップＳ１０２にて、各画素に機能液を吐出するための基板の主走査（Ｙ軸方向）、キャリッジの副走査（Ｘ軸方向）について、その移動工程を算出する処理を行う。つまり、ノズルヘッド２０（ノズルヘッド３０）について、基板Ｐに対して相対移動する総ての工程を算出する。同時に、各ノズルブロック２０Ｒ，２０Ｇ，２０Ｂからの機能液の吐出タイミングと、各ノズルブロック３０Ｒ，３０Ｇ，３０Ｂからの溶媒液の吐出タイミングを算出する。
【００７７】
次に、ステップＳ１０３にて、Ｒ、Ｇ、Ｂの各機能液および各溶媒液の吐出について、最初の画素への機能液の吐出開始から最後の画素への機能液の吐出完了までに要する時間Ｔを算出する処理を行う。コントロール装置１０は、基板Ｐの移動速度およびキャリッジ２００の移動速度を用いて、先の処理ステップＳ１０２にて算出した移動工程から、最初の画素への機能液の吐出開始から最後の画素への機能液の吐出完了までに要する時間Ｔを算出する。具体的には、移動工程の長さを、基板Ｐの移動速度およびキャリッジ２００の移動速度で除すことによって算出する。なお、基板Ｐの移動速度およびキャリッジ２００の移動速度は、予めコントロール装置１０内のメモリに格納されているものとする。
【００７８】
次に、ステップＳ１０４にて、時間Ｔにおける機能液の残量データの取得処理を行う。本実施例では、予めコントロール装置１０内のメモリに、Ｒ、Ｇ、Ｂの各機能液について、時間と機能液の残量の関係を示した残量データが格納されているものとする。従って、コントロール装置１０は、格納された残量データを用いて、時間Ｔの経過後に残存している機能液の量、つまり蒸発する溶媒量を取得する。これまでの説明から解るように、この取得された溶媒量が、最初に機能液を吐出する画素に対して増加すべき溶媒液の液量になる。なお、残量データについては以降のステップＳ１０８にて説明する。
【００７９】
次に、ステップＳ１０５にて、画素位置に合わせて基板の主走査（Ｙ軸方向）、キャリッジの副走査（Ｘ軸方向）を開始処理する。具体的に、コントロール装置１０は、図１に示すように、基板Ｐを一対のガイドレール１０１に沿ってＹ軸方向に主走査し、キャリッジ２００をガイドレール１０２に沿ってＸ軸方向に副走査して、各画素位置にノズルヘッド２０およびノズルヘッド３０を移動する。
【００８０】
次に、ステップＳ１０６にて、第１ヘッドから機能液を画素に吐出処理する。コントロール装置１０は、基板Ｐの主走査移動において、各ノズルブロック２０Ｒ，２０Ｇ，２０Ｂの位置がそれぞれの画素に対して機能液を吐出すべき位置に来る毎に、各ノズルブロック２０Ｒ，２０Ｇ，２０ＢからＲ、Ｇ、Ｂ各々の機能液（ここでは発光材料と溶媒の混合液）を同じ量ずつ吐出する。本実施例では、図６に示したように、主走査方向が図面上から下方向であることから、ノズルブロック２０Ｒ，２０Ｇ，２０Ｂの順序で、Ｒ機能液、Ｇ機能液、Ｂ機能液がそれぞれ対応する画素に吐出される。
【００８１】
次に、ステップＳ１０７にて、最初の画素への機能液の吐出開始からの経過時間を計測する処理を行う。コントロール装置１０は、タイマー機能を有し、最初の画素（例えばＲ機能液であれば画素Ｒ１）への機能液の吐出開始からの時間を計測する。もとより、前述したステップＳ１０２にて算出された主走査および副走査の移動工程と機能液の吐出タイミングとから、経過時間を演算して計測することとしてもよい。この処理によって、各画素についての経過時間が計測される。
【００８２】
次に、ステップＳ１０８にて、経過時間に対する溶媒液の増加量の算出処理を行う。コントロール装置１０は、上述したステップＳ１０４にて取得した機能液の残量データから、増加すべき溶媒液の液量を算出する。この処理によって、各画素について増加すべき溶媒液の液量が算出される。
【００８３】
ここでの処理の様子を、ステップＳ１０４での処理と合わせて、図８を用いて説明する。図８（ａ）は、ステップＳ１０４において用いる各機能液についての残量データの一例を示すグラフであり、図８（ｂ）は、ステップＳ１０８において、この残量データから算出された経過時間に対する増加すべき溶媒液の吐出量を示すグラフである。
【００８４】
図８（ａ）に示すように、最初の画素への機能液の吐出開始から最後の画素への機能液の吐出完了までに要する時間Ｔの経過時において、Ｒ機能液は８５％に減少し、Ｇ機能液は８０％に減少し、Ｂ機能液は７５％に減少する。従って、ステップＳ１０４では、コントロール装置１０は、時間Ｔにおける機能液の残量データとして、Ｒ機能液は８５％、Ｇ機能液は８０％、Ｂ機能液は７５％の各データを取得する。
【００８５】
また、ステップＳ１０８では、図８（ａ）に示した残量データに基づいて、機能液残量を１００％にするための溶媒液の液量を、経過時間に応じて必要となる吐出量として算出する。ちなみに、吐出開始時点（つまり最初の画素Ｒ１，Ｇ１，Ｂ１）における溶媒液の増加すべき吐出量は、Ｂ溶媒液が２５％、Ｇ溶媒液が２０％、Ｒ溶媒液が１５％であることを示している。また、一例として、仮に画素Ｒ４にＲ機能液を吐出した時間が、吐出開始からＴ／２時間経過後であった場合は、Ｒ溶媒液は１０％増加して吐出することが必要であることを示している。このように、経過時間とともに、吐出する溶媒液の液量を少なくするのである。
【００８６】
図７に戻り、次にステップＳ１０９にて、第２ヘッドから溶媒液の増加量を吐出処理する。コントロール装置１０は、基板Ｐの主走査移動において、各ノズルブロック３０Ｒ，３０Ｇ，３０Ｂの位置がそれぞれの画素に対して溶媒液を吐出すべき位置に来る毎に、各ノズルブロック３０Ｒ，３０Ｇ，３０Ｂから、Ｒ、Ｇ、Ｂ各々の溶媒液を、ステップＳ１０８にて経過時間に応じて算出された吐出量分、それぞれの画素に対して吐出する。本実施例では、図６に示したように、主走査方向が図面上から下方向であることから、ノズルブロック３０Ｒ，３０Ｇ，３０Ｂの順序で、Ｒ溶媒液、Ｇ溶媒液、Ｂ溶媒液がそれぞれの画素に吐出される。この処理によって、機能液および溶媒液の吐出処理が終了した時点で、総ての画素において存在する機能液と溶媒液との合計液量をほぼ同じにすることができるのである。
【００８７】
そしてステップＳ１１０にて、基板の主走査（Ｙ軸方向）、キャリッジの副走査（Ｘ軸方向）を終了処理する。こうして、総ての画素について機能液および溶媒液の吐出が終了したところで、本実施例の液状体吐出方法による処理が終了する。なお、最後の画素（画素Ｒ８、画素Ｇ８、画素Ｂ８）については、吐出すべき溶媒液の液量は「０」であるため、実際には溶媒液は吐出されない。
【００８８】
上述したように、本実施例によれば、経過時間に応じて画素（被吐出領域）に吐出される溶媒液（液状体）の吐出量を漸次少なく変更する。従って、総ての被吐出領域に対して吐出が終了したときに、自然乾燥によって液状体の量が減少した状態において、各々の画素に存在する機能液と溶媒液の合計残量をほぼ均一にすることができる。この結果、その後真空乾燥処理によって形成される発光層の膜厚がほぼ均一になり、発光層の発光輝度のバラツキが抑制されることになる。
【００８９】
なお、第１実施例では、Ｒ機能液、Ｇ機能液、Ｂ機能液のそれぞれについて、最初の画素にそれぞれの機能液が吐出されるタイミングが異なる。この場合、異なる発光色が形成される画素間では、残っている機能液と溶媒液の総量が、互いに異なることになるが、同色の発光層が形成される総ての画素については、残っている機能液と溶媒液の総液量が同じになるため、それぞれの発光色について輝度ムラは抑制されるため、総ての画素による全体の表示においても、輝度ムラの発生が抑制できることが期待できる。もとより、機能液と溶媒液の総量が、異なる発光色の画素間で同じになるように、予め溶媒液の吐出量を補正することとしても差し支えない。
【００９０】
また、図６における説明から明らかなように、キャリッジ２００におけるノズルヘッド２０とノズルヘッド３０との取り付け位置に応じて、１つの画素に関して機能液が吐出されてから溶媒液が吐出されるまでに一定の走査時間差（△ｔ）が存在することになる。本実施例では、この走査時間差△ｔを考慮しないものとして扱う。これは、実際には走査時間差△ｔは、極めて短い時間である場合が多く、機能液の乾燥状態に影響を与える度合いが少ないからである。なお、この走査時間差△ｔを考慮する場合は、図８（ａ）において経過時間０〜Ｔではなく、経過時間「０＋△ｔ」〜「Ｔ＋△ｔ」の間のデータを残量データとして用いればよい。
【００９１】
（第２実施例）
次に、第２実施例について、その概要を、図９を用いて説明する。図９は、図６と同様、基板Ｐに形成されたＹ軸方向（図面縦方向）に４画素、Ｘ軸方向（図面横方向）に６画素の計２４個の画素に、Ｒ、Ｇ、Ｂの各色発光層を形成する発光材料を含むＲ、Ｇ、Ｂ各機能液を吐出する様子を示す模式図である。なお、ノズルヘッド２０，３０の基板Ｐとの相対移動による各画素への機能液および溶媒液の吐出走査については、第１実施例と同様であるため、これらについての図示ならびに説明を省略する。
【００９２】
さて、本実施例は、前述するように、乾燥処理における基板上での乾燥速度の違いによる発光層の膜厚への影響を抑制する吐出方法であることから、まず、基板に形成された画素について、機能液の乾燥速度の違いについて説明する。
【００９３】
図示するように、基板Ｐにおいて、各画素に吐出された機能液を、真空乾燥や加熱乾燥などの乾燥処理によって乾燥したとき、各画素における機能液が乾燥する速度は通常周辺部分が速くなる。これは、周辺部分における溶媒の蒸気圧が低いことや、周辺部分に加わる熱量が多いことなどに起因することが従来より報告されている。従って、例えば、図９の上部に示したように、基板ＰのＢ−Ｂ断面部分における乾燥速度は、基板Ｐの中央部から端部に近づく程乾燥速度が速くなるという分布プロファイルを呈することになる。
【００９４】
本実施例では、図９に示したように、基板Ｐの中央部分の乾燥速度を１としたとき、乾燥速度が１．１倍、１．２倍、１．３倍・・の位置が、基板Ｐの平面において図示する位置になる分布プロファイルを有するものとして扱うこととする。この結果、それぞれの画素の形成位置が、基板Ｐにおける何処の位置かによって、機能液の乾燥速度が異なることになるのである。このように乾燥速度が異なる状態で、各画素に吐出された機能液を乾燥処理すると、例えば画素Ｂ８の方が、画素Ｂ２よりも速く乾燥してしまうため、形成される発光層の膜厚が異なって輝度ムラが発生することになる。
【００９５】
そこで、本実施例では、例えば、乾燥速度が速い画素ほど、溶媒液を多く吐出することで乾燥速度の違いを相殺し、もって均一な膜厚の発光層を形成しようとするものである。
【００９６】
それでは、本実施例の液状体吐出方法について、図１０の処理フローチャートに従って説明する。図１０に示した処理は、コントロール装置１０内に設けられた図示しないメモリに格納された処理プログラムに従って、コントロール装置１０が上述した各種制御動作を行うことによって実行されるものである。なお、この処理において、図７に示した処理と基本的に同じ処理内容のステップについては、同じ符号を付している。従って、同じ符号が付された処理ステップについての説明は省略し、異なるステップＳ１０３ａ、ステップＳ１０４ａ、ステップＳ１０７ａについて説明する。
【００９７】
まず、ステップＳ１０３ａでは、各画素の基板に対する位置を算出する処理を行う。コントロール装置１０は、ステップＳ１０１にて読み込んだ位置データから、各画素の基板Ｐに対する位置を算出する。ここでは、画素の形状中心位置が画素位置として算出されるものとする。ちなみに、図９に示した画素については、長円形状を有しているため、上下および左右についての中心線の交点が画素位置となる。もとより、画素位置は形状中心に限るものでない。要するに、その画素において乾燥速度のほぼ平均値が得られる位置が好ましい。
【００９８】
次に、ステップＳ１０４ａでは、基板上の各画素位置における機能液の乾燥速度を取得する処理を行う。本実施例では、コントロール装置１０内のメモリに、図９に示した乾燥速度の各倍率を示す線の基板Ｐ上における位置データが、乾燥速度の分布プロファイルとして記憶されているものとする。もとより、液状体吐出装置１００の使用者が、図示しない入力手段を用いて、分布プロファイルのデータをメモリに入力して記憶することとしてもよい。従って、コントロール装置１０は、記憶された位置データを用いて、各画素位置における機能液の乾燥速度を取得する。なお、乾燥速度は、総ての画素に同じ液量の機能液が吐出された基板Ｐを、予め実際に乾燥処理して求めておけばよい。
【００９９】
また、本実施例では乾燥速度が１倍以上１．１倍未満の範囲であれば１倍に、１．１倍以上１．２倍未満の範囲であれば１．１倍に、・・・という具合に段階的に各画素位置における機能液の乾燥速度を取得する。こうすることによって、溶媒液の吐出量の種類が多くならず、吐出処理が容易になる効果がある。もとより、乾燥速度の区分数を多くして（無段階を含む）、溶媒液の吐出量を細かく区分することとしてもよい。
【０１００】
ちなみに、図９に示した乾燥速度の分布プロファイルを用いた場合、ステップＳ１０４ａの処理によって、画素Ｇ２，Ｂ２，Ｇ３，Ｂ３，Ｒ６，Ｒ７が乾燥速度１倍、画素Ｒ１，Ｇ１，Ｂ１，Ｒ２，Ｒ３，Ｒ５，Ｇ５，Ｇ６，Ｇ７が乾燥速度１．１倍、画素Ｒ４，Ｇ４，Ｂ４，Ｂ５，Ｂ６，Ｂ７，Ｒ８，Ｇ８，Ｂ８が乾燥速度１．２倍と取得される。
【０１０１】
次に、ステップＳ１０７ａでは、画素位置における機能液の乾燥速度から、溶媒液の増加量の算出処理を行う。コントロール装置１０は、取得された各画素の乾燥速度から、それぞれの画素に吐出すべき溶媒液の液量を算出する。本実施例では、それぞれの画素に吐出された機能液の液量に対して乾燥速度の増加倍率分つまり１．１倍であれば「０．１」、１．２倍であれば「０．２」を乗算した値を、溶媒液の増加量として算出する。もとより、予め乾燥速度の倍率に応じて最適な溶媒液量を実際に求めておき、乾燥速度の倍率に応じてこの求めた溶媒液量を用いることとしてもよい。
【０１０２】
その後、上記第１実施例と同様、ステップＳ１０９にて、第２ヘッドから溶媒液の増加量を吐出処理することによって、基板Ｐ上のそれぞれの位置に形成された画素に対して吐出する機能液＋溶媒液の液量を、乾燥処理においてほぼ同時に乾燥する液量とすることができるのである。
【０１０３】
上述したように、本実施例によれば、画素（被吐出領域）に吐出する機能液と溶媒液（液状体）との合計吐出量を、画素の基板における形成位置に応じて変更することができる。この結果、この結果、乾燥処理によって形成される発光層の膜厚がほぼ均一になり、発光層の発光輝度のバラツキが抑制されることになる。
【０１０４】
以上、本発明について、実施形態および実施例を用いて説明したが、本発明はこうした実施形態および実施例に何ら限定されるものではなく、本発明の趣旨を逸脱しない範囲内において様々な形態で実施し得ることは勿論である。以下変形例を挙げて説明する。
【０１０５】
（第１変形例）
上記実施例では、自然乾燥による溶媒の減少に伴う膜厚への影響を抑制するための溶媒液の増加吐出処理と、乾燥処理における基板上での乾燥速度の違いに伴う膜厚への影響を抑制するための溶媒液の増加吐出処理とを、異なる処理として説明したが、これに限るものでないことは勿論である。例えば、この２つの処理を同時に行うこととしてもよい。
【０１０６】
本変形例による処理を、図１１のフローチャートに示した。図１１に示したフローチャートは、図７に示した第１実施例の処理と、図１０に示した第２実施例の処理とを、一つの処理として行う場合を示すものである。なお、図７に示した第１実施例の処理、および図１０に示した第２実施例の処理と同じ処理については、同じ符号を付している。
【０１０７】
図１１に示したフローチャートから解るように、本変形例は、ステップＳ１０９ａにおける処理、つまり第２ヘッドから溶媒液の加算増加量を吐出する処理が、上記第１実施例および第２実施例と異なる。具体的には、本変形例のステップＳ１０９ａでは、ステップＳ１０８にて算出された経過時間に対する溶媒液の増加量と、ステップＳ１０７ａにおいて画素位置における機能液の乾燥速度から算出された溶媒液の増加量と、を加算し、加算した増加量分の溶媒液を、それぞれの画素に吐出する。
【０１０８】
こうすることで、総ての画素（被吐出領域）に対して吐出が終了したときに、各画素に存在する機能液と溶媒液との総液量によって、自然乾燥状態の違いに加えて、真空乾燥などの乾燥処理後に形成される機能膜に生ずる基板上の形成位置による性能バラツキが抑制されることになる。
【０１０９】
（第２変形例）
上記実施形態の液状体吐出装置１００では、表示装置の一例として有機ＥＬパネル５０を形成することとして説明したが、これに限るものでないことは勿論である。例えば、カラーフィルタを形成するものとしてもよい。
【０１１０】
形成されるカラーフィルタの一例を図１２に示した。図１２（ａ）は、カラーフィルタの形成の様子を示す模式図である。図１２（ｂ）は、トップエミッション構造を有する有機ＥＬパネルであって、蒸着工程によって表示面全面に形成された有機ＥＬ素子が陽極と陰極間で発光する白色光を、形成されたカラーフィルタによってカラー光として射出する表示装置の構成を示す断面図である。
【０１１１】
図１２（ａ）に示すように、カラーフィルタは、ガラス板を基板とし、このガラス板に設けられた遮光領域（ＢＭ）によって区画された領域に、各ノズルブロック２０Ｒ，２０Ｇ，２０Ｂから、それぞれＲ、Ｇ、Ｂ色のフィルタ材料と溶媒とを含む機能液を吐出し、その後、吐出した機能液を乾燥処理して形成される。従って、乾燥処理後に形成されるＲフィルタ、Ｇフィルタ、Ｂフィルタには、機能液の吐出時間差による自然乾燥状態の違いや、ガラス板の位置に応じて異なる乾燥処理条件の違いによって、固化して形成される膜厚にバラツキが生じることがある。そこで、上記実施例による機能液および溶媒液の吐出方法を用いれば、上述した有機ＥＬパネルにおける発光層の形成と同様に、乾燥処理後に形成されるＲフィルタ、Ｇフィルタ、Ｂフィルタは、それぞれほぼ均一な膜厚を有することになる。
【０１１２】
この結果、図１２（ｂ）に示したように、蒸着工程によって膜厚が均一に形成され陽極と陰極との間で均一に白色発光する有機ＥＬ素子の発光光を、その均一性を保持した状態で、各カラー光（Ｒ光、Ｇ光、Ｂ光）に変換する表示装置を提供することができる。なお、このカラーフィルタは、液晶によって明るさを制御した白色のバックライト光を、カラー光に変換する所謂液晶表示装置にも適用することができる。
【０１１３】
（第３変形例）
上記実施例では、機能液の吐出時の自然乾燥、あるいは機能液の吐出後の乾燥処理における乾燥速度の差異など、乾燥条件の違いによって発生する発光層（機能層）の膜厚の差異を抑制するため、各画素に溶媒液のみを所定液量増加して吐出することとしたが、これに限るものでないことは勿論である。例えば、溶媒液と機能液の双方の液量を変更して、その合計液量が所定液量増加するようにしてもよい。こうすれば、各画素に吐出された機能液と溶媒液とに含まれる溶質と溶媒の吐出量割合を、画素毎に容易に変更することができる。
【０１１４】
例えば、機能液に含まれる発光材料が、乾燥初期においてバンク（図５（ｂ）参照）の周辺に多く堆積固化する場合がある。このような場合、吐出タイミングが早い画素については、陽極と陰極間に挟持される領域に堆積固化する発光材料が少なくなってしまうことが起こり得る。そこで、例えば、機能液の吐出タイミングが早い画素については、機能液をこれに見合う分増加して吐出する。そして、吐出すべき所定液量に対して、機能液の増加分を差し引いた液量分の溶媒液を吐出するのである。
【０１１５】
あるいは、溶媒液を吐出せず機能液のみ所定液量分増加吐出することとしてもよい。例えば、溶媒の混合割合が多いなど、発光材料と溶媒の混合割合によっては、上述した乾燥条件の違いによって発生する発光層（機能層）の膜厚の差異を機能液のみの液量増加で抑制することができる場合があるからである。
【０１１６】
なお、この場合は、機能液の吐出量が最初に吐出する画素が最も多く、最後に吐出する画素が最も少なくなるように、漸減して吐出されることになる。例えば、Ｒ機能液であれば、画素Ｒ１に対して吐出したＲ機能液の液量に対して、画素Ｒ２には経過時間に応じた分少ない液量のＲ機能液を吐出し、画素Ｒ３には経過時間に応じた分さらに少ない液量のＲ機能液を吐出し、・・・という具合にＲ機能液の吐出処理が画素Ｒ８まで行われる。
【０１１７】
（第４変形例）
また、上記実施例では、機能液に含まれる溶媒と、溶媒液の溶媒とが、同一組成の溶媒であることとしたが、これに限らず、それぞれ異なる組成の溶媒であることとしてもよい。その場合、機能液に含まれる溶媒に対して、溶媒液の溶媒の方が乾燥速度が遅いことが好ましい。こうすれば、乾燥速度が遅くなる分蒸発量が少なくなることから、増加する溶媒液の液量を少なくすることができる。この結果、画素に対して吐出する機能液と溶媒液との合計液量を少なくすることができるため、各画素に対して吐出可能な液量に制約がある場合には有効である。
【０１１８】
ちなみに、上記実施例において、発光層の形成であれば、機能液に含まれる溶媒「１，３，５−トリメチルベンゼン」に対して、溶媒液の溶媒を「シクロヘキシルベンゼン」とするとよい。また、正孔注入層の形成であれば、機能液に含まれる溶媒「エチレングリコール」に対して、溶媒液の溶媒を「ジエチレングリコール」とするとよい。いずれも機能液に含まれる溶媒より沸点が高く、乾燥が遅くなる溶媒である。
【０１１９】
また、上記第２実施例では、乾燥速度の分布プロファイルを用いて、溶媒液の増加量を算出したが、これに限らず、分布プロファイルを用いることなく、溶媒液の増加量を算出することとしてもよい。例えば、基板端部から中央部分までの距離に応じて予め定められた値を用いて、画素に吐出する溶媒液の液量を算出することとしてもよい。実際に測定した乾燥条件の違いが、どの基板についてもおおよそ同じであるような場合は、このように一様の算出方法としても差し支えない。
【０１２０】
（その他の変形例）
また、上記実施例では、各画素に対して機能液を吐出した後に溶媒液を吐出することとして説明したが、溶媒液を先に吐出することとしてもよい。例えば、各画素に対して機能液を吐出する経過時間が、主走査および副走査の移動工程と機能液の吐出タイミングとから演算して計測する場合、この計測された経過時間に基づいて吐出すべき溶媒液の増加量が算出可能であることから、機能液の吐出より先に溶媒液を吐出することができる。
【０１２１】
また、上記実施例では、エレクトロルミネッセンス素子として有機ＥＬ素子を形成することとし、液滴の噴射によって塗布して形成する機能層が、正孔注入層と発光層であることとして説明したが、必ずしもこれに限るものでないことは勿論である。例えば、陰極とは別に電子注入層を形成する場合は、この電子注入層を液滴の噴射によって形成する機能層としてもよい。あるいは発光層が正孔注入層を兼用する場合は、発光層のみが液滴の噴射によって塗布形成される機能層であることとしてもよい。
【０１２２】
また、上記実施例では、携帯電話に搭載される表示装置として説明したが、これに限らず携帯電話以外の電子機器に搭載されることとしてもよい。例えばビデオカメラやデジタルカメラ、あるいは携帯型パーソナルコンピュータなど、輝度バラツキが抑制された表示が所望される電子機器には本実施例によって形成される表示装置は好適である。
【図面の簡単な説明】
【０１２３】
【図１】本発明の液状体吐出装置の一実施形態を示す構成図。
【図２】本実施形態の液状体吐出装置が具備するノズルヘッドに穿設されたノズルの配列具合を示す模式図。
【図３】本実施形態の液状体吐出装置を用いて形成した表示装置を搭載した電子機器を示す説明図。
【図４】有機ＥＬパネルの全体のレイアウトを回路構成とともに示した模式図。
【図５】有機ＥＬパネルにおけるＲ画素、Ｇ画素、Ｂ画素の各画素が有する機能層の構成を示す模式図で、（ａ）はその平面図、（ｂ）はその断面図、（ｃ）は有機ＥＬ素子の機能層を液状体の吐出によって塗布して形成する様子を示した模式図。
【図６】基板に形成された画素に、Ｒ、Ｇ、Ｂ各機能液を吐出する様子を示す模式図。
【図７】第１実施例で、機能液と溶媒液の吐出方法を示す処理フローチャート。
【図８】（ａ）は、第１実施例において自然乾燥後の機能液の残量データを示すグラフ、（ｂ）は、増加すべき溶媒液の吐出量を示すグラフ。
【図９】基板に形成された画素に、Ｒ、Ｇ、Ｂの各機能液を吐出する様子を示す模式図。
【図１０】第２実施例で、機能液と溶媒液の吐出方法を示す処理フローチャート。
【図１１】第１変形例で、自然乾燥と乾燥処理との双方の乾燥条件に対する機能液と溶媒液の吐出方法を示す処理フローチャート。
【図１２】（ａ）は、第２変形例の液状体吐出装置が形成するカラーフィルタを示す模式図、（ｂ）はそのカラーフィルタを用いた有機ＥＬパネルの断面図。
【符号の説明】
【０１２４】
１０…コントロール装置、２０…ノズルヘッド、２０Ｒ，２０Ｇ，２０Ｂ…ノズルブロック、３０…ノズルヘッド、３０Ｒ，３０Ｇ，３０Ｂ…ノズルブロック、５０…有機ＥＬパネル、５１…走査駆動回路、５２…データ駆動回路、５３…給電端子、５４，５５…ＴＦＴ、５６…保持容量、１００…液状体吐出装置、１０１，１０２…ガイドレール、１０３…移動台、１０５…ステージ、１１２…キャリッジ移動台、２００…キャリッジ、Ｐ…基板。
【図１】
2009247933.tif 000003
【図２】
2009247933.tif 000004
【図３】
2009247933.tif 000005
【図４】
2009247933.tif 000006
【図５】
2009247933.tif 000007
【図６】
2009247933.tif 000008
【図７】
2009247933.tif 000009
【図８】
2009247933.tif 000010
【図９】
2009247933.tif 000011
【図１０】
2009247933.tif 000012
【図１１】
2009247933.tif 000013
【図１２】
2009247933.tif 000014